(57)【要約】【課題】給湯装置の下方にガスコンロ等の他の燃焼機器が設置された場合でも、当該給湯装置に燃焼不良が発生し難くし、かつ、使用者が高温の部材に触れて熱くて不快に感じるといったことを防止する給湯装置カバーを提供する。【解決手段】ケーシング２０の前面に備える操作部２４を操作することで、ケーシング２０に形成された吸気口２５から燃焼用の空気をケーシング２０内に取り入れて、ケーシング２０内に具備するガスバーナーの燃焼熱による加熱によって温水を得る給湯装置２と共に用いられる給湯装置カバー１である。吸気口２５の下方を覆う下壁１０を備え、かつ、操作部２４の前方を覆い下壁１０から上方に向けて連設される前壁１１を備える。前壁１１は、ケーシング２０から隙間９０をあけて設けられるとともに、上端部が断熱材１００で覆われる。【選択図】図１
2014009865.tif 000002
【特許請求の範囲】
【請求項１】
ケーシングの前面に備える操作部を操作することで、前記ケーシングに形成された吸気
口から燃焼用の空気を前記ケーシング内に取り入れて、前記ケーシング内に具備するガスバーナーの燃焼熱による加熱によって温水を得る給湯装置と共に用いられる給湯装置カバーであって、
前記吸気口の下方を覆う下壁を備え、かつ、前記操作部の前方を覆い前記下壁から上方に向けて連設される前壁を備え、前記前壁は、前記ケーシングから隙間をあけて設けられるとともに、上端部が断熱材で覆われることを特徴とする給湯装置カバー。
【請求項２】
前記断熱材は、角のない滑らかな形状に形成されることを特徴とする請求項１記載の給湯装置カバー。
【発明の詳細な説明】
【技術分野】
【０００１】
本発明は、例えば給湯装置などに適用される給湯装置カバーに関し、詳しくは、当該給湯装置の下方にガスコンロ等の燃焼機器が設置された場合にも当該給湯装置に燃焼不良が発生することが生じ難いように構成された給湯装置カバーに関するものである。
【背景技術】
【０００２】
従来より、不完全燃焼等の燃焼不良を検知して、ガスバーナーの燃焼を停止することにより、安全性を確保する給湯装置が利用されている（例えば特許文献１参照）。
【０００３】
特許文献１に示される給湯装置にあっては、当該給湯装置の下方にガスコンロ等の他の燃焼機器が設置された場合に、下方の燃焼機器の燃焼ガス（排気ガス）が、給湯装置のケーシングに形成された吸気口より取り入れられてガスバーナーの燃焼用空気として用いられてしまう。すると、燃焼用空気の酸素濃度が、下方に燃焼機器が設置されない通常の場合よりも低くなり、不完全燃焼が発生し易くなるという問題があった。
【０００４】
また、給湯装置には、前面に操作部が設けられることが多く、当該給湯装置の下方にガスコンロ等の他の燃焼機器が設置された場合には、下方の燃焼機器からの高温の燃焼ガスによって給湯装置の前面に設けられた操作部が加熱されて、使用者が高温の操作部を操作することになって、不快に感じる惧れがあった。
【先行技術文献】
【特許文献】
【０００５】
【特許文献１】特開２０００−０１８５８０号公報
【発明の概要】
【発明が解決しようとする課題】
【０００６】
そこで、給湯装置のケーシングに形成された吸気口の下方を覆う下壁と、操作部の前方を覆うように下壁から上方に向けて連設される前壁とを備え、給湯装置に燃焼不良が発生し難く、かつ、使用者が高温の操作部に触れることを防止する給湯装置カバーを設けることが考えられた。
【０００７】
しかしながら、このような給湯装置カバーを設ける場合、使用者は、前壁の上方より手を挿入して操作部を操作することになるが、この時、手が前壁の上端部に触れ易く、手が触れた場合に熱くて不快に感じる惧れが生じるものである。
【０００８】
本発明は上記従来の問題点に鑑みて発明したものであって、その目的とするところは、給湯装置の下方にガスコンロ等の他の燃焼機器が設置された場合でも、当該給湯装置に燃焼不良が発生し難くし、かつ、使用者が高温の部材に触れて熱くて不快に感じるといったことを防止する給湯装置カバーを提供することを課題とするものである。
【課題を解決するための手段】
【０００９】
上記課題を解決するために、本発明は、以下のような構成とする。
【００１０】
ケーシング２０の前面に備える操作部２４を操作することで、前記ケーシング２０に形成された吸気口２５から燃焼用の空気を前記ケーシング２０内に取り入れて、前記ケーシング２０内に具備するガスバーナーの燃焼熱による加熱によって温水を得る給湯装置２と共に用いられる給湯装置カバー１であって、前記吸気口２５の下方を覆う下壁１０を備え、かつ、前記操作部２４の前方を覆い前記下壁１０から上方に向けて連設される前壁１１を備え、前記前壁１１は、前記ケーシング２０から隙間９０をあけて設けられるとともに、上端部が断熱材１００で覆われることを特徴とする。
【００１１】
使用者は、操作部２４を操作する際、前壁１１の上方より手を挿入して操作部２４を操作するが、この時、手が前壁１１の上端部に触れ易い。前壁１１の上端部に断熱材１００が設けられることにより、前壁１１に手が触れた場合でも、熱くて不快に感じるのを防止することができる。
【００１２】
また、前記断熱材１００は、角のない滑らかな形状に形成されることが好ましい。
【００１３】
これにより、前壁１１の上端部に設けた断熱材１００に手が触れても、使用者が痛みを感じたり擦り傷を負ったりする可能性が極めて低く抑えられる。
【発明の効果】
【００１４】
本発明の給湯装置カバーにあっては、給湯装置の下方にガスコンロ等の他の燃焼機器が設置された場合でも、当該給湯装置に燃焼不良が発生し難くすることが可能となり、かつ、使用者が高温の部材に触れて熱くて不快に感じるといったことを防止することができる。
【図面の簡単な説明】
【００１５】
【図１】本発明の一実施形態の給湯装置カバーを有する、壁面に取り付けられた給湯装置および、その下方に位置しコンロ台に載置されたガスコンロの側面図である。
【図２】同上の実施形態の給湯装置カバーを有する、壁面に取り付けられた給湯装置および、その下方に位置しコンロ台に載置されたガスコンロの正面図である。
【発明を実施するための形態】
【００１６】
以下、本発明を添付図面に基づいて説明する。本実施形態の給湯装置カバー１は屋内の壁面に設けられる給湯装置２と共に用いられるものである。以下では図１及び図２に示されるように台所に設置されたコンロ台３後方の壁面４に給湯装置２及び給湯装置カバー１を設けた例につき説明する。
【００１７】
給湯装置２は図２に示されるようにコンロ台３よりも上方の壁面４に取り付けられ、左右方向においてコンロ台３上に設置した、他の燃焼機器であるガスコンロ５と重なる位置に配置されている。燃焼機器であるガスコンロ５の上面には、燃焼部として複数のコンロバーナー５０が設けられている。
【００１８】
給湯装置２はガス給湯装置であって、供給された水をケーシング２０に内装した図示しないガスバーナーの燃焼により加熱して温水を得るものである。ケーシング２０は金属板をプレス加工して形成されたものであり、略縦長直方体状である。ケーシング２０の下面には配管接続口部として、ガス管接続口部２１、給水管接続口部２２、及び出湯管接続口部２３が設けられている。ガス管接続口部２１には給湯装置２内のガスバーナーに燃料ガスを供給するガス管６が接続され、給水管接続口部２２には給湯装置２に加熱される水を供給する給水管７が接続され、出湯管接続口部２３には給湯装置２で得られた温水を台所のカラン等の機器に供給する出湯管８が接続されている。なお、出湯管８は図２においては一点鎖線で示している。これら配管接続口部に接続された配管のうち、ガス管６及び給水管７は、図１に示されるように壁面４のコンロ台３の上面よりもやや上方に位置する箇所から前方に引き出され、この後、上方に屈曲されてその上端部が対応する配管接続口部に接続されている。また、出湯管８は温水を供給する機器の位置に応じて適宜配管され、この出湯管８は、給湯装置カバー１の適所を貫通させて外部に導出してもよいし、給湯装置カバー１の上方より導出してもよい。
【００１９】
図２に示されるようにケーシング２０の前面下端部には、操作部２４として、給湯装置２からの出湯の開始及び停止を切り換えるための入切スイッチ２４０、ガス量調節ハンドル２４１、及び水量調節ハンドル２４２が設けられている。
【００２０】
図１に示されるようにケーシング２０の左右両側面の下端部には、ケーシング２０の内外を通じさせる吸気口２５が形成されている。吸気口２５はケーシング２０のプレス加工時に打ち抜きにより形成した上下に長いスリットで構成されており、ケーシング２０の各側面に前後に複数設けられている。ケーシング２０内に設けられたガスバーナーにはこの吸気口２５を介して外部から燃焼用の空気が供給されるようになっている。
【００２１】
給湯装置カバー１はガスコンロ５のコンロバーナー５０の燃焼時に発生する燃焼ガスにより給湯装置２や給湯装置２から下方に延びる配管（ガス管６及び給水管７）や壁面４が加熱されるのを抑制するものである。
【００２２】
給湯装置カバー１はコンロ台３よりも上方の壁面４に沿って設けられ、コンロ台３とこの上方に位置する給湯装置２の間に配置される。
【００２３】
給湯装置カバー１は、図１及び図２に示されるように、下壁１０と、前壁１１と、前壁１１の左右両端から後方に向かって突出する側壁１２と、両側壁１２の後縁から外側方に向かって突出するフランジ部１３とで構成されるもので、ステンレス鋼板や、琺瑯仕上げを施した鉄板や、耐熱塗装を施した鉄板や、アルミニウム板や、他の金属等により形成される。また、下壁１０と前壁１１と側壁１２とが別の材質からなるものでもよい。
【００２４】
下壁１０は、吸気口２５の下方を覆い、下方の燃焼機器であるガスコンロ５の燃焼ガス（排気ガス）が吸気口２５から取り入れられ難くするものである。各フランジ部１３にはねじ挿通孔１４が上下に複数穿設されている。各フランジ部１３の後面を壁面４に当接し、各ねじ挿通孔１４に前方から挿入したねじ（不図示）を壁面４にねじ込むことで、各フランジ部１３は壁面４に固着され、これにより給湯装置カバー１は壁面４に固定される。
【００２５】
前壁１１と両側壁１２と下壁１０と壁面４とで囲まれた給湯装置カバー１内の空間１５は、上方に開口している。前壁１１は図１に示されるように略鉛直な上部１６と上部１６の下縁から後斜め下方に向かって突出した下部１７とで構成されている。両側壁１２は、図２に示されるように略鉛直に形成される。各側壁１２は、前縁が前壁１１に接続されている。
【００２６】
図１及び図２に示されるように給湯装置カバー１を壁面４に取り付けた状態では、給湯装置カバー１の前壁１１が隙間９０を介して給湯装置２の下端部前方に配置され、両側壁１２が隙間９１を介して給湯装置２の下端部外側方に配置され、給湯装置２の下端部は給湯装置カバー１によって覆われる。このため、ガスコンロ５のコンロバーナー５０で発生した後に上昇した燃焼ガスは給湯装置カバー１の下壁１０や前壁１１および両側壁１２によって遮られ、これにより給湯装置２はガスコンロ５で生じた燃焼ガスで加熱され難くなる。
【００２７】
前壁１１の上縁は、給湯装置２の入切スイッチ２４０、ガス量調節ハンドル２４１、及び水量調節ハンドル２４２の夫々の上端よりも下方に位置し、これら操作部２４の上部を露出させる。このため、給湯装置２の操作部２４を給湯装置カバー１の前側より容易に操作できるようになっている。
【００２８】
また、操作部２４が燃焼ガスによって加熱されると、使用者がこれを操作した際に不快感を感じる可能性がある。しかし、本実施形態における給湯装置カバー１の前壁１１の上部１６は、入切スイッチ２４０、ガス量調節ハンドル２４１、及び水量調節ハンドル２４２の前方に位置し、これら操作部２４の下部を覆っている。このため、操作部２４は燃焼ガスによって加熱され難く、使用者は不快に感じ難くなる。本実施形態では、下壁１０と前壁１１に加えて側壁１２が設けられているため、ガスコンロ５の燃焼ガスが吸気口２５からより一層取り入れられ難くなり、給湯装置２の不完全燃焼がより一層生じ難くなる。
【００２９】
また、ガスコンロ５から上昇した燃焼ガスは、前壁１１の傾斜した下部１７に沿って給湯装置２から離れる方向に偏向される。このため、給湯装置２のケーシング２０と給湯装置カバー１の上縁との間における圧力は、前壁１１の下部１７を鉛直にした場合と比較してごく微圧ながら低下する。従って、給湯装置２の周囲に存在する新鮮な空気は給湯装置カバー１の内部に上方から流入し易くなり、これにより給湯装置２の操作部２４は一層加熱され難くなり、また、吸気口２５には新鮮な空気が供給されやすくなる。
【００３０】
本発明においては、前壁１１の上端部を断熱材１００で覆うことに特徴を有するものであり、本実施形態では側壁１２の上端部にも断熱材１００が設けられる。断熱材１００は、熱伝導係数が給湯装置カバー１の前壁１１（本実施形態ではさらに側壁１２）の熱伝導係数よりも小さい材質で形成されるもので、本実施形態ではユリア樹脂（尿素樹脂）からなる熱硬化性樹脂で形成されるが、他の合成樹脂や、不燃性の布等の合成樹脂以外の材質で形成されてもよく、特に限定されない。断熱材１００は、前壁１１（本実施形態ではさらに側壁１２）に被嵌したり、前壁１１および側壁１２とのインサート成形にて設けたり、接着剤により接着したりして、前壁１１および側壁１２の上端部に設けられるが、他の手段により設けられてもよい。
【００３１】
上記給湯装置２にあっては、操作部２４は給湯装置カバー１の前壁１１により前方が覆われており、使用者は、操作部２４を操作する際、前壁１１の上方より手を挿入して操作部２４を操作するが、この時、手が前壁１１や特にその上端部に触れ易いものである。給湯装置カバー１は燃焼ガスによりある程度高温に加熱されている場合が多く、このため、前壁１１の上端部に手が触れた場合に熱くて不快に感じる惧れがある。本発明においては、断熱材１００により、前壁１１の上端部に手が触れた場合でも、熱くて不快に感じるのを防止するものである。さらに本実施形態では、前壁１１に加え側壁１２の上端部にも断熱材１００が設けられており、側壁１２の上端部に手が触れた場合も熱くて不快に感じるのを防止することができる。
【００３２】
この断熱材１００は、角（突起、エッジ、尖先部等を含む）のない、接線方向の変化が不連続とならない滑らかな形状に形成するのが好ましい。角がある場合には、前壁１１や側壁１２の上端部に手が触れた場合に、角により擦れて使用者が痛みを感じたり擦り傷を負ったりする惧れがある。これに対し、断熱材１００に角がない場合には、前壁１１や側壁１２の上端部に手が触れても、使用者が痛みを感じたり擦り傷を負ったりする可能性が極めて低く抑えられる。
【符号の説明】
【００３３】
１    給湯装置カバー
１０  下壁
１１  前壁
１２  側壁
１３  フランジ部
１４  挿通孔
１５  空間
１６  上部
１７  下部
１８  上部
１９  下部
１００  断熱材
２    給湯装置
２０  ケーシング
２１  ガス管接続口部
２２  給水管接続口部
２３  出湯管接続口部
２４  操作部
２４０  入切スイッチ
２４１  ガス量調節ハンドル
２４２  水量調節ハンドル
２５  吸気口
３    コンロ台
４    壁面
５    ガスコンロ
５０  コンロバーナー
６    ガス管
７    給水管
８    出湯管
９０  隙間
９１  隙間
【図１】
2014009865.tif 000003
【図２】
2014009865.tif 000004